(57)【特許請求の範囲】
【請求項１】
外周辺に立設された外側壁（１１）で軟質のクッション性の発泡体で構成された中敷本体（２０）の側面を被覆して、その中敷本体（２０）の踵部から踏まず部下面にかけて半敷状のスタビライザー（１）を装着した中敷であって、そのスタビライザー（１）の踵中央部に打ち抜き部（１２）が、内アーチ部側の外側壁（１１１）に複数のテーパー状の打ち抜き部（１１１１．１１１１．．．）が、外アーチ部に三ケ月乃至半月状の打ち抜き部（１３）が形成され、これらの打ち抜き部にクッション性の中敷本体（２０）が露出充填され、しかも足の第１指から第２指のボールジョイント部に対応する中敷本体（２０）の踏み付け部に凹み（２１）が設けられていることを特徴とする靴の中敷。
【発明の詳細な説明】
【０００１】
【発明が属する技術分野】
本発明は、靴の中敷に関するものである。
【０００２】
【従来の技術】
従来、特公昭５９―２９２４２号、実公昭６１―２２４８４号等によって踵部から踏まず部外周辺に外側壁を立設した半敷状のスタビライザー１を、中敷本体の踵部から踏まず部下面にかけて装着したものが提案されている。この種の靴中敷は着用の際、踵部のクッション性と安定性が良好で、運動靴用の中敷として賞用されている。
【０００３】
正常な成人の歩行走行においては、足の長軸手方向に沿った内外側の２つの縦アーチ、即ち踵骨から第１中足骨の頭部へかけての内側アーチと踵骨から第５中足骨頭部へかけての外側の縦アーチと、足の短手方向への２つの横アーチ、即ち第１楔骨から立方骨の先端にかけての第１の横アーチと、第1中足骨の頭部から第５中足骨の頭部にかけてのボール部で構成される第２の横アーチで体重負荷による着地衝撃圧を吸収しながら歩行走行するものである。そして歩行走行工程において体重負荷は、まず踵部外側から内側にかけて回内しながら踵部裏面に負荷され、次に踵部裏面から足の長手方向における外踏まず部裏面に沿って徐々に前方へ向けて回外しながら移動され、第５指のボール部裏面、即ち第５中足骨と第５基節骨との関節部裏面で足を回外して強く地面を踏みつけてから第１指のボールジョイント部裏面、即ち第１中足骨と第１基節骨との関節部裏面へとローリングしながら地面を踏みつけて移動され、次に第１基節骨と第１末節骨を反らせてピッチングさせながら第１末節骨（第１指）裏面で地面を強力に把持して第１〜第５指、特に第１.２.３指で地面を蹴って前進する工程を繰り返しながら歩行走行、所謂「あおり歩行走行」するものと言われている。そしてこのようなあおり歩行走行において踵部中心部踵骨の直下並びに第1指から第2指のボールジョイント部に動的な最大衝撃圧が負荷されると言われている。
【０００４】
また近年靴の軽量化、クッション性という観点からして外底、中間底等の靴底としてゴム，ＥＶＡ等のクツション性の弾性発泡体使用されるようになった。これらの弾性発泡底を備えた靴を着用して歩行、走行した場合、着地の初期において踵部の外側に体重１．２から3．0倍に相当する動的負荷が課せられこれがこれが靴底のクッション性とあいまって踵部外側部が急速に圧縮され、その後の急速な弾性回復力によって靴内の足の踵部が過度に回内、即ちオーバープロネーションし、膝関節の障害が引き起こされると指摘されている。
【０００５】
また一方では、日本人は欧米人に比較して外反足、所謂Ｏ脚が多いと言われている。Ｏ脚の場合踏み付けの初期、即ち第５指のボールジョイント部が着地するとき足の踏み付け部が過度に回外、即ちオーバースピネーションし膝関節の障害が引き起こされることも指摘されている。また老齢化による足の筋肉や靭帯の機能低下による歩行機能の低下した高齢者歩行において踏み付けの際第1指から第２指のボールジョイント部に集中的に体重負荷が負荷され、この部位における足の障害も指摘されている。
【０００６】
以上の観点からして従来の靴中敷において、歩行走行工程において踵部のオーバープロネーション、踏み付け部のオーバースピネーションを充分には阻止することができなかった。一方高齢者歩行において第1指から第2指のボールジョイント部における衝撃緩和性が不充分であつた。
【０００７】
【発明が解決しようとする課題】
この発明は、靴中敷によって歩行走行時における足の踵部のオーバープロネーションと踏み付け部のオーバースピネーションを阻止し、あおり歩行走行を促進し、歩行走行安定性、衝撃緩和性、フィツト性に優れた靴中敷を提供し、着用者の足、脚の障害、さらには高齢者歩行における第1指から第2指のボールジョイント部の障害を未然に防止しようとするものである。
【０００８】
【課題を解決するための手段】
この発明は、外周辺に立設された外側壁１１で軟質のクッション性の発泡体で構成された中敷本体２０の側面を被覆して、その中敷本体２０の踵部から踏まず部（アーチ部）下面にかけて半敷状、即ち踵部から踏まず部にかけての中敷形状のスタビライザー１を装着した中敷であって、そのスタビライザー１の踵中央部に打ち抜き部１２が、内踏まず部側の外側壁１１１に複数のテーパー状の打ち抜き部１１１１．１１１１．．．が、外アーチ部に三ケ月乃至半月状の打ち抜き部１３が形成され、これらの打ち抜き部にクッション性の中敷本体２０が露出充填さされ、しかも足の第1指から第2指のボージョイント部に対応する中敷本体２０の踏み付け部に凹み２１が設けられていることを特徴とする靴の中敷を発明の要旨とするものである。
【０００９】
この発明においてスタビライザー１は、中敷本体の踵部から踏まず部の形状にほぼ沿って半硬質乃至硬質のゴム、ポリウレタン、ＥＶＡ、ABS、ポリアミド等合成樹脂材料で、踵部から内踏まず部周辺にかけて外側壁１１を一体に立設して構成されており、その踵部中央、即ち踵骨の下方に突出した部分の直下に対応する部分に円乃至楕円形、卵形、滴形等の適宜形状の打ち抜き部12が、内アーチ部の外側壁１１１には鋸刃状、波形状、山形状等複数のテーパー状切り抜き部１１１１．１１１１．．．が形成されている。そしてその外アーチ部には中敷の長手方向中心軸外側辺の１／２〜１／３を残してその先端部から踵部先端部にかけて三ケ月乃至半月状の打ち抜き部１３が形成されている。そして必要によっては、内アーチ部の外側壁１１に隣接して長手方向に補強リブ１４．１４．．．を設けておくこともできる。
【００１０】
この発明において、中敷本体２０は,JRIS―０１０１による硬度（膨張ゴムの物理試験方法に関する日本ゴム協会標準規格による圧縮かたさ試験による硬度）、即ちｃ型硬度が３０〜５０の軟質のEVA発泡体、1.2ポリブタジエン発泡体、ポリウレタン発泡体、ラテックスフォーム、ゴム発泡体等のクッション性の材料で構成され、その上面には布帛、皮革等の柔軟な上張り２０１が施されている。必要によってこの上張り２０１をラテックスフォームやクロロプレンゴム発泡体のような柔軟性に優れた発泡体２０２を介して貼り合わせておけば、着用時の足当り感を一層良好なものとすることが出来る。
【００１１】
そしてこの発明においてスタビライザー１は、その外側壁１１で中敷本体２０の側面を被覆して、スタビライザー１の各々の打ち抜き部１２、１１１１．１１１１．．．、１３に中敷本体２０を充填露出させて、中敷本体２０の踵部から踏まず部下面にかけて積層されている。積層は、中敷本体２０をEVA発泡体、１．２ポリブタジエンゴム発泡体のような熱軟化性発泡体で構成し、モールド中でスタビライザー１の上にこの中敷本体２０を載置して蓋モールドでこれを加熱圧縮成形、所謂コンプレション成形すれば、中敷本体２０を軟化圧縮して各々の打ち抜き部１２、１１１１．１１１１．．．、１３にそれぞれ充填成形することができるので、この方法によって行えば簡便であるある。
【００１２】
この発明において中敷本体２０の踏み付け部に設けられる凹み部２１は、中敷本体の第1指から第2指のボールジョイント部に対応する部分に設けられるものであるが、それは中敷本体２０の上面に設けられた凹部であつても良いし、図２に示すように中敷本体２０の下面に設けられた空洞状の凹み部であつてもよい。中敷き本体２０の下面に設けられた空洞状の凹み２１の場合、凹み２１に連設して踏み付け部の外側面に開口する連続溝22．22...を設けておけば、溝２２．２２．．．が足のボールジョイント部に対応する部分において、中敷の屈曲を促進するとともに歩行走行時における体重負荷による凹み２１の圧縮によって、凹み２１内で圧縮された空気の通気溝としても機能するので、着用の際の衝撃緩和性、屈曲性、通気性がそれぞれ同時に促進され好都合である。
【００１３】
【発明の作用効果】
この発明は以上のように構成されているので、この発明の靴中敷を装着した靴を履いて歩行走行した場合、歩行走行工程において、先ず踵部１において外側が着地した際、中敷本体２０の踵部外側部が半硬質乃至硬質のスタビライザーの踵部外側の外側壁１１２並びにこれに隣接する底部外側辺１０３でその反発弾性が拘束されているので過剰に反発することなく踵部が回内し、体重負荷は踵部中央部へ移動される。この時、踵部中央部、即ち踵骨の直下に最大体重負荷が負荷されるが、これはスタビライザー１の打ち抜き部１２に充填された軟質のクツション性発泡体の厚肉部で緩和されるとともにスタビライザー１の底部内側辺１０３とこれに隣接する踵部内側の外側壁１１３で足の踵の過剰な回内が阻止される。したがって歩行走行工程の初期での踵の着地安定性が保持される。更に体重負荷は踏まず部へ移動されるが、スタビライザー１の内アーチ側に立設された側壁１１１に打ち抜き部１１１１．１１１１．．．が設けられ、しかも外アーチにも打ち抜き部１３が設けられているので、着用者の個々人のアーチ形状に沿ってスタビライザー１が順応して足のアーチ部を支持し、さらに打ち抜き部１１１１．１１１１．．．と打ち抜き部１３には軟質発泡体からなる中敷本体２０が充填露出されているのでクッション性が良好でスタビライザーの内アーチ側の外側壁１１１による違和感がなく足のアーチ部が支持される。また外アーチ部に三ケ月状乃至半月状の打ち抜き部１３が設けられ、この打ち抜き部１３に中敷本体２０が露出充填されているので外踏まずが部がその中央部１３１で部分的により大きく圧縮されるので体重負荷が第5指のボールジョイント方向へ適度に回外しながら移動される。そして第５指のボールジョイント部裏面へ達した足裏の体重負荷は、第1指から第2指のボールジョイント部に対応して中敷本体の踏み付け部に設けられた凹み２１が圧縮され、踏み付け部での衝撃を緩和しながら第5指のボールジョイント部から第１指から第2指のボールジョイント部へとローリングしながら移動されて地面がしっかりと踏みつけられる。そして第１指でのピッチングが促進され、特に第１指．２指、3指での蹴りが円滑に行なえ、あおり歩行走行が促進される。したがって歩行走行安定性、衝撃緩和性、フィツト性に優れた靴中敷を提供でき、着用者の足、脚の障害、さらには高齢者歩行における第1指から第2指のボールジョイント部の障害を未然に防止することができる。
【００１４】
【実施例】
図面の図１〜図７に示すように、踵部から内踏まず部周辺にカップ状に立設された外側壁１１を有し、踵部中央部に円形状の打ち抜き部１２を形成し、内アーチ側の外側壁１１１に山形状の打ち抜き部１１１１．１１１１．．．を、外アーチには三ケ月状の打ち抜き部１３を有する半硬質のABS樹脂製の平均厚み1mmの半敷状のスタビライザー１と、踵部における平均厚みが１０mmで、踏まず部における平均厚みが８mmで、踏み付け部から爪先部にかけての平均厚みが６mmのEVA樹脂発泡体製の中敷本体20の上面に2mm厚のゴムラテックスフォームを介して布を張り合わせたものとを加熱型で圧縮、所謂コンプレスション成形して中敷本体２０を１／２厚に軟化圧縮し、Ｃ硬度が４０で、打ち抜き部１１１１．１１１１．．．、１２、１３、に中敷き本体２０を露出充填させるとともに、第1指から第2指のボールジョイント部に対応する中敷本体の踏み付け部下面に卵形の厚み1．5mmの凹み２１と、この凹み２１から踏み付け部の外側に連通し、しかも中敷上面に開口する孔２２１．２２１．．．を有する連続溝２２．２２．を賦形した。このようにして成形された本発明による靴の中敷きは、本発明所望効果を奏するものであった。
【図面の簡単な説明】
【図１】上面側から見た見取り図である。
【図２】下面側から見た見取り図である。
【図３】図１のA-A線における断面図である。
【図４】図１のB-B線における断面図である。
【図５】図１のC-C線における断面図である。
【図６】図１のD-D線における断面図である。
【図７】図１のE-E線における断面図である。
【符号の説明】
１．スタビライザー、１０．．．底部、１０２．．．．外側辺、１０３．．．．内側辺、１１．．．外側壁、１１１．．．内アーチ側の外側壁、１１２．．．踵部外側の外側壁、１１３．．．踵部内側の外側壁、１１１１．打ち抜き部、１２．打ち抜き部、１３．打ち抜き部、１３１．．．中央部、１４．．．補強リブ、２．中敷き、２０．中敷き本体、２０１．．．上張り、２０２．．．柔軟性層、２１．凹み、２２．連続溝、２２１．通気孔
【図１】
0004400990.tif 000002
【図２】
0004400990.tif 000003
【図３】
0004400990.tif 000004
【図４】
0004400990.tif 000005
【図５】
0004400990.tif 000006
【図６】
0004400990.tif 000007
【図７】
0004400990.tif 000008